(57)【要約】【課題】正確な送信電力制御を行うと共に、ＤＰＤＣＨデータがない時、目標ＳＩＲが同期維持に必要な最小ＳＩＲとなるように制御する。【解決手段】受信側装置において受信データのエラーレートと目標エラーレートを比較して目標ＳＩＲを制御し（アウターループ制御）、測定ＳＩＲが該目標ＳＩＲに一致するように送信側の送信電力をインナーループ制御する送信電力制御方法である。アウターループ制御において、データが送信されているか区間であるか判定し、（１）データが送信されている区間では、復号後の受信データのエラーレートと目標エラーレートを比較して目標ＳＩＲを制御し、（２）データが送信されていない区間では、復調されたパイロットあるいは同期ワードのエラーレートを測定し、該パイロットの測定エラーレートと目標エラーレートを比較して目標ＳＩＲを制御する。【選択図】    図１
2005005762.tif 000002
【特許請求の範囲】
【請求項１】
受信側において受信データのエラーレートと目標エラーレートを比較して目標ＳＩＲを制御し、測定ＳＩＲが該目標ＳＩＲに一致するように送信側に送信電力制御を行わせる送信電力制御方法において、
データが送信されている区間であるか判定し、
データが送信されている区間では、受信データのエラーレートと目標エラーレートを比較して目標ＳＩＲを制御し、
データが送信されていない区間では、受信パイロットのエラーレートを測定し、
該パイロットの測定エラーレートとパイロットの目標エラーレートを比較して目標ＳＩＲを制御する、
ことを特徴とする送信電力制御方法。
【請求項２】
復調されたＴＦＣＩ情報に基づいて、データが送信されている区間であるかを判定する、
ことを特徴とする請求項１記載の送信電力制御方法。
【請求項３】
測定した受信品質を目標品質に近づけるように、送信機を制御する制御方法において、
受信した受信信号のフォーマット情報に基づいて、所定受信区間内にデータ信号が含まれず、パイロット信号が含まれる場合は、該パイロット信号に基づいて前記目標品質を制御し、所定受信区間内にデータ信号が含まれる場合は、該データ信号に基づいて前記目標品質を制御する、
ことを特徴とする制御方法。
【請求項４】
受信側において受信データのエラーレートと目標エラーレートを比較して目標ＳＩＲを制御し、測定ＳＩＲが該目標ＳＩＲに一致するように送信側に送信電力制御を行わせる送信電力制御装置において、
受信信号を復調するモデム部、
データが送信されている区間であるか判定するデータ有無判定部、
受信データを復号する復号部、
データが送信されている区間では、復号後の受信データのエラーレートと目標エラーレートを比較して目標ＳＩＲを制御する第１の目標ＳＩＲ制御部、
データが送信されていない区間では、モデムで復調された受信パイロットのエラーレートを測定し、該パイロットの測定エラーレートとパイロットの目標エラーレートを比較して目標ＳＩＲを制御する第２の目標ＳＩＲ制御部、
を備えたことを特徴とする送信電力制御装置。
【請求項５】
測定した受信品質を目標品質に近づけるように、送信機を制御する受信装置において、
受信した受信信号のフォーマット情報を取得する抽出部、
該フォーマット情報に基づいて、所定受信区間内にデータ信号が含まれず、パイロット信号が含まれる場合は、該パイロット信号に基づいて前記目標品質を制御し、所定受信区間内にデータ信号が含まれる場合は、該データ信号に基づいて前記目標品質を制御する制御部、
を備えたことを特徴とする受信装置。
【発明の詳細な説明】
【０００１】
【発明の属する技術分野】
本発明はＣＤＭＡ移動通信における送信電力制御方法及び装置に係わり、特に、受信側において受信データのエラーレートと目標エラーレートを比較して目標ＳＩＲを制御し、測定ＳＩＲが該目標ＳＩＲに一致するように送信側に送信電力制御を行わせる送信電力制御方法及び装置に関する。
【０００２】
【従来の技術】
Ｗ−ＣＤＭＡ移動通信では、拡散コードによってチャネルを区別するため、複数のチャネルが一つの周波数帯域を共有することができる。しかし、実際の移動通信環境においては、マルチパスフェージングによる遅延波や他セルからの電波により、受信信号は自チャネル及び他チャネルから干渉を受け、該干渉がチャネル分離に悪影響を与える。また、マルチパスフェージングによる受信電力の瞬時変動や、同時に通話しているユーザ数の変化によって、受信信号が受ける干渉量は時間的に変化する。このように、時間的に変動する干渉を受けるような環境下では、基地局に接続した移動局における受信信号の品質を、所望の品質に安定して保つことは困難である。
【０００３】
・インナーループ送信電力制御
このような干渉ユーザ数の変化やマルチパスフェージングによる瞬時値変動に追従するために、受信側で信号対干渉電力比（ＳＩＲ）を測定し、その測定値と目標ＳＩＲを比較することにより、受信側のＳＩＲが目標ＳＩＲに近づくように制御するインナーループ送信電力制御（ｉｎｎｅｒｌｏｏｐ  Ｔｒａｎｓｍｉｓｓｉｏｎ  Ｐｏｗｅｒ  Ｃｏｎｔｒｏｌ）が行われる。
【０００４】
図１０はインナーループ送信電力制御の説明するためのシステム構成図であり、１チャネル分のみ示している。図１１はインナーループ送信電力制御の処理フローである。
基地局１の拡散変調部１ａは指定されたチャネルに応じた拡散コードを用いて送信データを拡散変調し、電力増幅器１ｂは、拡散変調後に直交変調、周波数変換などの処理を施されて入力した信号を増幅してアンテナより移動局２に向けて送信する。移動局の受信部の逆拡散部２ａは受信信号に逆拡散処理を施し、復調部２ｂは受信データを復調する（ステップ１０１）。ＳＩＲ測定部２ｃは受信信号と干渉信号との電力比を測定し、比較部２ｄは目標ＳＩＲと測定ＳＩＲを比較する（ステップ１０２）。ＴＰＣビット生成部２ｆは測定ＳＩＲが目標ＳＩＲより大きければＴＰＣ（Ｔｒａｎｓｍｉｓｓｉｏｎ  Ｐｏｗｅｒ  Ｃｏｎｔｒｏｌ）ビットで送信電力を下げるコマンドを作成し（ステップ１０３）、測定ＳＩＲが目標ＳＩＲより小さければＴＰＣビットで送信電力をあげるコマンドを作成する（ステップ１０４）。目標ＳＩＲは例えば、１０−３（１０００回に１回の割合でエラー発生）を得るために必要なＳＩＲ値であり、目標ＳＩＲ設定部２ｅより比較部２ｄに入力される。拡散変調部２ｇは送信データ及びＴＰＣビットを拡散変調する。拡散変調後、移動局２はＤＡ変換、直交変調、周波数変換、電力増幅などの処理を施してアンテナより基地局１に向けて送信する。基地局側の逆拡散部１ｃは、移動局２から受信した信号に逆拡散処理を施し、復調部１ｄは受信データ、ＴＰＣビットを復調し、該ＴＰＣビットで指示されたコマンドにしたがって電力増幅器１の送信電力を制御する（ステップ１０５）。
【０００５】
図１２は３ｒｄ  Ｇｅｎｅｒａｔｉｏｎ  Ｐａｒｔｎｅｒｓｈｉｐ  Ｐｒｏｊｅｃｔ（以下３ＧＰＰと称す）で標準化されている上りリンクのフレーム構成図で、送信データのみが送信されるＤＰＤＣＨデータチャネル  （Ｄｅｄｉｃａｔｅｄ  Ｐｈｙｓｉｃａｌ  Ｄａｔａ  Ｃｈａｎｎｅｌ）と、ＰｉｌｏｔやＴＰＣビット情報等の制御データが多重されて送信されるＤＰＣＣＨ制御チャネル（Ｄｅｄｉｃａｔｅｄ  Ｐｈｙｓｉｃａｌ  Ｃｏｎｔｒｏｌ  Ｃｈａｎｎｅｌ）を有し、それぞれ直交符号により拡散されたあと、実数軸および虚数軸にマッピングされて多重される。上りリンクの１フレームは１０ｍｓｅｃで、１５スロット（ｓｌｏｔ＃０〜ｓｌｏｔ＃１４）で構成されている。ＤＰＤＣＨデータチャネルはＱＰＳＫ変調の直交するＩチャンネルにマッピングされ、ＤＰＣＣＨ制御チャネルはＱＰＳＫ変調の直交するＱチャンネルにマッピングされる。ＤＰＤＣＨデータチャネル（Ｉチャンネル）の各スロットはＮｄａｔａビットで構成され、Ｎｄａｔａはシンボル速度に応じて変化する。制御データを送信するＤＰＣＣＨ制御チャネル（Ｑチャンネル）の各スロットは１０ビットで構成され、シンボル速度は１５ｋｓｐｓ一定であり、パイロットＰＩＬＯＴ、送信電力制御データＴＰＣ、トランスポート・フォーマット・コンビネーション・インジケータＴＦＣＩ、フィードバック情報ＦＢＩを送信する。
【０００６】
ＴＦＣＩは、送信側において、各トランスポートチャネルＴｒＣＨの符号化データを多重して送信する時に、受信側で正しく分離できるように、どのように各トランスポートチャネルＴｒＣＨの符号化データを多重したかを示すパラメータであり、１０ビットのＴＦＣＩは符号化処理を施されて３２ビットのＴＦＣＩ  Ｃｏｄｅ  Ｗｏｒｄにして送信される。
【０００７】
・アウターループ送信電力制御
ところで、通信中の移動速度の変化や移動による伝搬環境の変化により、所望の品質（ブロックエラーレート＝ＢＬＥＲ：Ｂｌｏｃｋ  Ｅｒｒｏｒ  Ｒａｔｅ）を得るために必要なＳＩＲは一定ではない。これらの変化に対応するために、ブロックエラーレートＢＬＥＲを観測し、観測値ＢＬＥＲが目標ＢＬＥＲよりも悪ければ目標ＳＩＲを増加させ、良ければ目標ＳＩＲを減少させる制御が行われる。このように所望品質を実現するために目標ＳＩＲを適応的に変更する制御は、アウターループ送信電力制御（ｏｕｔｅｒｌｏｏｐ  ＴＰＣ）として周知である。
【０００８】
図１３はアウターループ制御部分を含む受信側の送信電力制御装置のブロック図であり、図１０と同一部分には同一符号を付している。図１４はアウターループ制御の処理フローである。図１３において、２１は無線部、２２はモデム部、２３はコーデック部である。
基地局１から送信された信号は無線部２１で受信され、モデム部２２の復調部２ｂで復調されたあと、コーデック部２３の誤り訂正復号器２ｈで復号（デコード）される（ステップ２０１）。その後、受信ＢＬＥＲ測定部（たとえばＣＲＣ検出器）２ｊは、トランスポートブロックＴｒＢｋ毎にＣＲＣ誤り検出を行い、各トランスポートブロックＴｒＢｋの誤り検出結果（測定ＢＬＥＲ）を目標ＳＩＲ制御部２ｋへ入力する（ステップ２０２）。
【０００９】
目標ＳＩＲ制御部２ｋは、システムよりトランスポートチャネル（ＴｒＣＨ）別に目標ブロックエラーレート（ＢＬＥＲ）が指定されるから、入力された測定ＢＬＥＲと目標ＢＬＥＲを比較し（ステップ２０３）、測定ＢＬＥＲが目標ＢＬＥＲより大きければ目標ＳＩＲを所定量増大し（ステップ２０４）、小さければ目標ＳＩＲを所定量減少し（ステップ２０５）、指定された目標ＢＬＥＲを満足するように目標ＳＩＲの制御を行う。目標ＳＩＲの更新周期や更新する幅などは、指定された目標品質によって変更される。以上の制御により、目標ＳＩＲは図１５の期間Ａ，Ｂに示すように制御される。
以上のアウターループ制御は、送信側がＤＰＤＣＨ（図１２）でデータを送信している場合であるが、データを送信していない場合には、コーデック部２３は受信データのＢＬＥＲを測定できないため、アウターループ制御を行えず、目標ＳＩＲは図１５のＣで示すように一定に維持される。ところで、この目標ＳＩＲの一定値は、送信側と受信側間の同期を維持可能とする値に設定する必要がある。これは送信側と受信側間の同期が維持できなければ、移動機は送信を停止するためである。
ＡＭＲデータや非制限（ＵＤＩ）データ等は連続データの為、常にトランスポートチャネル（ＴｒＣＨ）にデータが存在するが、パケットにはバースト的に通信されるため、ＴｒＣＨデータがある時とない時がある。
【００１０】
・その他のアウターループ制御方式
以上のように、誤り訂正復号後のブロックエラーレート（ＢＬＥＲ）を用いて目標ＳＩＲを調整する制御の他に、パイロット信号（図１２のＰｉｌｏｔ参照）の誤り率からＢＬＥＲを推定し、目標ＳＩＲの更新を行う技術も提案されている（特許文献１）。
特許文献１    国際公開番号：ＷＯ９７／５０１９７）
【００１１】
【発明が解決しようとする課題】
従来は、モデム部２２（図１３）にてパイロット信号による通信の同期維持のみを行っている場合（受信データ無し）と、コーデック部２３による制御データやユーザーデータの通信を行っている場合（受信データあり）の区別を行っていなかった。そのため、コーデック部２３にて復号するデータがなく、単にパイロット信号にて通信の同期維持を行っている区間では、目標ＳＩＲを制御することができず、目標ＳＩＲは一定値になる（図１４のＣ）。しかし、その区間では目標ＳＩＲに関係なく同期維持を行うことができるだけの電力を発生する必要がある。結果として、従来技術は、データが送信されていない区間、一定値の目標ＳＩＲとパイロット信号の同期維持に必要な最小ＳＩＲとの差分が過剰電力になっている。
【００１２】
また、特許文献１に開示されてパイロット信号により目標ＳＩＲを更新する制御では、ＤＰＣＣＨのみで通信を行っている時でも、すなわち、受信データが無い時でも、目標ＳＩＲを更新できる。しかし、この従来技術では、同期維持に必要なＳＩＲ値を何ら考慮しないで制御しているため、やはり目標ＳＩＲとパイロット信号の同期維持に必要な最小ＳＩＲとの差分が過剰電力になっている。また、この従来技術では復号処理をしないでパイロットエラーレートを測定するため、測定エラーレートに誤差が含まれ正確な送信電力制御ができない問題がある。
以上から本発明の目的は、正確な送信電力制御を行うと共に、ＤＰＤＣＨデータがない時、目標ＳＩＲが同期維持に必要な最小ＳＩＲとなるように制御する送信電力制御方法及び装置を提供することである。
本発明の別の目的は、送信電力を低減し、また雑音の減少や送信電力制御対象のトラフィックを軽減する送信電力制御方法及び装置を提供することである。
【００１３】
【課題を解決するための手段】
本発明は、受信側装置において受信データのエラーレートと目標エラーレートを比較して目標ＳＩＲを制御し（アウターループ制御）、測定ＳＩＲが該目標ＳＩＲに一致するように送信側の送信電力を制御（インナーループ送信電力制御）する送信電力制御方法である。アウターループ制御において、データが送信されている区間であるか判定し、（１）データが送信されている区間では、復号後の受信データのエラーレートと目標エラーレートを比較して目標ＳＩＲを制御し、（２）データが送信されていない区間では、復調されたパイロット又は同期ワードのエラーレートを測定し、該パイロットの測定エラーレートとパイロットの目標エラーレートを比較して目標ＳＩＲを制御する。
以上のようにすることにより、正確に送信電力制御を行うことができる。また、パイロットの測定エラーレートとパイロットの目標エラーレートを比較して目標ＳＩＲを下げたとき、送信側と受信側間の同期が外れることがないように該目標エラーレートを設定する。これにより、ＤＰＤＣＨデータがない時でも、目標ＳＩＲが同期維持に必要な最小ＳＩＲとなるように送信電力制御ができ、送信電力を低減し、また雑音の減少や送信電力制御対象のトラフィックを軽減することが可能となった。
【００１４】
【発明の実施の形態】
（Ａ）第１実施例
図１は受信側における送信電力制御装置の構成図、図２は下り個別物理チャネルＤＰＣＨのフレーム構成図、図３は同期ワードＳＷの説明図、図４は本発明による送信電力制御のフローチャート、図５は本発明により送信電力制御を行った目標ＳＩＲの推移図である。以後の説明では移動局の制御の場合について述べるが基地局の場合においても同様の制御を行うことができる。
【００１５】
図１の送信電力制御装置におけるインナーループ制御は従来と同じである。すなわち、無線部５１は基地局から送信された無線信号を受信し、無線信号に周波数変換、直交検波してべースバンド信号にし、モデム部５２に入力する。モデム部５２の図示しないＡＤ変換器はべースバンド信号をＡＤ変換して逆拡散／復調部５２ａに入力する。逆拡散部／復調部５２ａは入力信号に逆拡散処理を施して受信データを復調する。ＳＩＲ測定部５２ｂは受信信号と干渉信号との電力比を測定し、比較部５２ｃは目標ＳＩＲと測定ＳＩＲを比較する。ＴＰＣビット生成部５２ｄは測定ＳＩＲが目標ＳＩＲより大きければＴＰＣビットで送信電力を下げるコマンドを作成し、測定ＳＩＲが目標ＳＩＲより小さければＴＰＣビットで送信電力をあげるコマンドを作成する。拡散変調部５２ｅは送信データ及びＴＰＣビットを拡散変調し、ＤＡ変換して無線部５１に入力する、無線部５１は入力信号を直交変調、周波数変換、電力増幅などの処理を施してアンテナより基地局に向けて送信する。基地局は、移動局から受信した信号に逆拡散処理を施して受信データ、ＴＰＣビットを復調し、該ＴＰＣビットで指示されたコマンドにしたがって送信電力を制御する。
以上のインナーインナーループ制御と並行してアウターループ制御を行って目標ＳＩＲを制御する。
【００１６】
本発明では、個別物理チャネルＤＰＣＨ中にＤＰＤＣＨデータが存在するときは、従来と同様のアウターループ制御を行い、ＤＰＤＣＨデータが存在しないと判断された時に、パイロットあるいはパイロットに含まれる同期ワードＳＷのエラーレートに従ったアウターループ制御を行う。
ＤＰＤＣＨデータの有無判定は、コーデック部５３のデータの有無判定部５３ａがＴＦＣＩ情報に基づいて判定する。すなわち、モデム部５２で復調した信号を入力されて復号部５３ｂはＴＦＣＩビットを復号すると共にトランスポートチャネルＴｒＣＨデータを復号し、それぞれＴＦＣＩ復号ビットをデータ有無判定部５３ａに入力し、ＴｒＣＨ復号データを第１アウターループ制御部５３ｃに入力する。データ有無判定部５３ａはＴＦＣＩ復号ビットがオール０であるかチェックし、オール０であればＤＰＤＣＨデータ無しと判定し、オール０でなければＤＰＤＣＨデータ有りと判定する。なお、パケット通信時、ＴＦＣＩの値がオール”０”の時にＴｒＣＨデータがないと決められているものとする。
【００１７】
ＤＰＤＣＨデータ有りであれば、第１アウターループ制御部５３ｃによる通常のアウターループ制御が行われる。すなわち、ＢＬＥＲ測定部（たとえばＣＲＣ検出器）６１は、トランスポートブロックＴｒＢｋ毎にＣＲＣ誤り検出を行い、各トランスポートブロックＴｒＢｋの誤り検出結果（測定ＢＬＥＲ）をＢＬＥＲ比較部６２に入力する。ＢＬＥＲ比較部６２は、システムよりトランスポートチャネル（ＴｒＣＨ）別に目標ブロックエラーレート（ＢＬＥＲ）が指定されるから、入力された測定ＢＬＥＲと目標ＢＬＥＲを比較し、比較結果を目標ＳＩＲ更新部６３に入力する。目標ＳＩＲ更新部６３は、測定ＢＬＥＲが目標ＢＬＥＲより大きければ目標ＳＩＲを所定量増大し、小さければ目標ＳＩＲを所定量減少し、指定されたＢＬＥＲを満足するように目標ＳＩＲを更新してインナーループ制御部の比較部５２ｃに設定する。
以上のアウターループ制御により、目標ＢＬＥＲが満たされるように目標ＳＩＲが更新され、また、該目標ＳＩＲとなるように送信電力がインナーループ制御により制御され、トータル的にＢＬＥＲは目標ＢＬＥＲと等しくなる。
【００１８】
一方、ＤＰＤＣＨデータ無しであれば、第２アウターループ制御部５２ｆによるパイロットあるいはパイロットに含まれる同期ワードＳＷのエラーレートに従ったアウターループ制御が行われる。以下では同期ワードＳＷのエラーレートに従ったアウターループ制御について説明する。
同期ワードＳＷはパイロットを構成するビットの一部であり、基地局と移動局の同期が維持されているか否かを判断するために用いるもので、例えば１６０ｍｓｅｃの間に４０％以上正しく同期ワードＳＷを検出できなければ不同期として移動局の送信を停止するために用いられる。
【００１９】
下り個別物理チャネルＤＰＣＨは図２に示す構成を備えている。１フレームは１０ｍｓｅｃで１５スロット（ｓｌｏｔ＃０〜ｓｌｏｔ＃１４）で構成され、各スロットには個別物理制御チャネルＤＰＣＣＨと個別物理データチャネルＤＰＤＣＨが多重され、ＤＰＣＣＨによりＴＰＣ情報、ＴＦＣＩ情報、Ｐｉｌｏｔ等の制御データが送信される。伝送速度に応じてデータ長や制御情報長は可変であり、パイロット長Ｎｐｉｌｏｔは図３に示すように２，４，８，１６ビットが可能であり、各スロット＃０〜＃１４のパイロットパターンは図示のようになる。▲１▼Ｎｐｉｌｏｔ＝２の場合、パイロットの全ビットが同期ワードＳＷとなり、Ｎｐｉｌｏｔ＝４の場合、パイロットの前半２ビット（前半のシンボル）が同期ワードＳＷとなり、あるいはパイロットの全ビットが同期ワードＳＷとなり、▲２▼Ｎｐｉｌｏｔ＝８の場合、パイロットのシンボル番号１，３が同期ワードＳＷとなり、▲４▼Ｎｐｉｌｏｔ＝１６の場合、パイロットのシンボル番号１，３、５，７が同期ワードＳＷとなる。
【００２０】
ＤＰＤＣＨデータ無しであれば、第２アウターループ制御部５２ｆのＳＷ−ＥＲ測定部７１は、復調データより同期ワードＳＷを抽出し、抽出した同期ワードＳＷと既知の同期ワードパターン（図３）とを比較し、異なれば同期ワードエラーとして計数することにより同期ワードエラーレートＳＷ−ＥＲを測定する。ＳＷ−ＥＲ比較部７２は、測定された同期ワードエラーレートＳＷ−ＥＲと予め設定されている目標エラーレートを比較する。目標ＳＩＲ更新部７３は、測定ＳＷ−ＥＲが目標ＳＷ−ＥＲより大きければ目標ＳＩＲを所定量増大し、小さければ目標ＳＩＲを所定量減少し、該目標ＳＩＲをインナーループ制御部の比較部５２ｃに設定する。以上のアウターループ制御により、目標ＳＷ−ＥＲが満たされるように目標ＳＩＲが更新され、また、該目標ＳＩＲと一致するように送信電力がインナーループ制御により制御され、トータル的に測定ＳＷ−ＥＲは目標ＳＷ−ＥＲと等しくなる。
従って、測定ＳＷ−ＥＲ＝目標ＳＷ−ＥＲとなったときにインナーループ制御部の比較部５２ｃに設定される目標ＳＩＲと等しくなるように送信電力制御した時、送信側と受信側間の同期外れを発生しないようにできれば、少ない電力で同期を維持することができ好ましい。このため、本発明は、送信側と受信側間の同期外れを発生しないように最小の目標ＳＷ−ＥＲを設定している。
【００２１】
図４は第１実施例のアウターループ制御処理フロー、図５は第１実施例のアウターループ制御の説明図である。
個別物理チャネルＤＰＣＨ（図２参照）中にＤＰＤＣＨデータが存在するときは、通常の第１アウターループ制御を行う（ステップ３０１）。ＴＦＣＩによりＤＰＤＣＨデータ（ＴｒＢｋデータ）がないと判断された時（ステップ３０２）、その時点の第１アウターループ制御による目標ＳＩＲの値を保存する（ステップ３０３）。ついで、ＳＷ−ＥＲによる第２アウターループ制御に切り替え、切り換え後の同期ワードエラーレートＳＷ−ＥＲを測定する（ステップ３０４）。ＳＷ−ＥＲによる第２アウターループ制御をしている間は常に同期ワードエラーレートＳＷ−ＥＲ  を測定する。
ついで、基地局と移動局間の同期が外れないようなＳＷ−ＥＲ設定値（目標ＳＷ−ＥＲ＝ａ）とステップ３０４で測定されたＳＷ−ＥＲ（＝ｂ）を比較し（ステップ３０５）、目標ＳＷ−ＥＲ＞測定ＳＷ−ＥＲ（ａ＞ｂ）であれば、目標ＳＩＲを所定量下げ（ステップ３０６）、ＳＷ−ＥＲ＜測定ＳＷ−ＥＲ（ａ＜ｂ）であれば、目標ＳＩＲを所定量上げる（ステップ３０７）。
【００２２】
しかる後、ＴＦＣＩによりＤＰＤＣＨデータ（ＴｒＢｋデータ）が存在するか調べ（ステップ３０８）、存在しなければステップ３０４以降の処理を繰返す。これにより、目標ＳＩＲは図５に示すように小さくなり、測定ＳＷ−ＥＲ＝目標ＳＷ−ＥＲとなるまで減少する。測定ＳＷ−ＥＲ＝目標ＳＷ−ＥＲとなれば、以後、送信側と受信側間の同期維持に必要な最小の目標ＳＩＲ（＝ＳＩＲｍｉｎ）を中心に、目標ＳＷ−ＥＲと測定ＳＷ−ＥＲの大小に基づいて制御が行われる。なお、送信側と受信側間の同期外れを発生しないように目標ＳＷ−ＥＲが設定されている。以上により、データ無し区間における電力を従来の電力より大幅に下げることができる。
ステップ３０８において、ＴＦＣＩによりＤＰＤＣＨデータ有りを検出すれば、目標ＳＩＲを第２アウターループ制御前の状態に戻さなくてはならない。その時の目標ＳＩＲの値は、ステップ３０３で保存してあるから該保存目標ＳＩＲをインナーループ制御部の比較部５２ｃに設定し（ステップ３０９）、ステップ３０１に戻り通常の第１アウターループ制御を開始する。
【００２３】
・変形例
以上では、第２アウターループ制御から第１アウターループ制御に戻す際、ステップ３０３で保存してある目標ＳＩＲをインナーループ制御部の比較部５２ｃに設定したが、該保存目標ＳＩＲと最小の目標ＳＩＲ（＝ＳＩＲｍｉｎ）の差分ΔＳＩＲを現目標ＳＩＲに加えた値をインナーループ制御部の比較部５２ｃに設定して戻すように構成することもできる。
図６はかかる変形例の処理フロー、図７は変形例のアウターループ制御の説明図である。図６において、図４の処理フローと異なる点は、新たにステップ４０１を付加し、又、ステップ３０８の代わりにステップ４０２を付加した点である。
ステップ３０５において、初めてＳＷ−ＥＲ＜測定ＳＷ−ＥＲ（ａ＜ｂ）となれば、▲１▼その時の目標ＳＩＲ（＝ＳＩＲｍｉｎ）あるいは、▲２▼該目標ＳＩＲ（＝ＳＩＲｍｉｎ）とステップ３０３で保存してある目標ＳＩＲとの差分ΔＳＩＲを保存し（ステップ４０１）、ついで、目標ＳＩＲを所定量上げる（ステップ３０７）。なお、ステップ４０１の処理は初めてＳＷ−ＥＲ＜測定ＳＷ−ＥＲ（ａ＜ｂ）となった時のみ行い、以後はスキップする。
又、ステップ３０８において、ＴＦＣＩによりＤＰＤＣＨデータ有りを検出すれば、ステップ４０１で▲１▼目標ＳＩＲを保存した場合と、▲２▼差分ΔＳＩＲを保存した場合とに以下の処理を行う。
【００２４】
ステップ４０１で目標ＳＩＲ（＝ＳＩＲｍｉｎ）を保存した場合には、該目標ＳＩＲとステップ３０３で保存してある目標ＳＩＲとの差分ΔＳＩＲを求め、該差分を現目標ＳＩＲに加算した値を目標ＳＩＲとし、インナーループ制御部の比較部５２ｃに設定する（ステップ３０９）。そして、以後、ステップ３０１に戻り通常の第１アウターループ制御を開始する。
一方、ステップ４０１で差分ΔＳＩＲを保存した場合には、該差分を現目標ＳＩＲに加算した値を目標ＳＩＲとしてインナーループ制御部の比較部５２ｃに設定し（ステップ３０９）、ステップ３０１に戻り通常の第１アウターループ制御を開始する。
以上の変形例によれば、環境の変化により第２アウターループ制御中に同期維持用の目標ＳＩＲが最初の値（＝ＳＩＲｍｉｎ）からかけ離れても、差分ΔＳＩＲだけ目標ＳＩＲを戻すことにより、通常の第１アウターループ制御に切り替えた後に目標ＢＬＥＲに短時間で近づけることができる。
【００２５】
（Ｂ）第２実施例
第１実施例では、コーデック部におけるＴＦＣＩの復号結果に基づいてＤＰＤＣＨデータ（ＴｒＣＨデータ）の有無を判断した。コーデック復号後のデータは精度が高いが、復号処理があるため多少制御が遅くなる。その為、モデム復調後のＴＦＣＩデータを使用することにより、精度は多少落ちるが制御を高速に行うことができる。
【００２６】
図８はデータ有無判定をモデム復調後のＴＦＣＩ情報を使用して行う第２実施例の構成図であり、図１の第１実施例と同一部分には同一符号を付している。異なる点は、データ有無判定部８１をモデム部５２内に設け、モデム復調後のＴＦＣＩ情報を使用してデータ有無判定を行っている点である。
１０ビットのＴＦＣＩは、図９に示すようにｓｅｃｏｎｄ  ｏｒｄｅｒ  Ｒｅｅｄ−Ｍｕｌｌｅｒ  ｃｏｄｅを用いて、次式
【表１】
2005005762.tif 000003
により３２ビットのＴＦＣＩ  Ｃｏｄｅ  Ｗｏｒｄに符号化されて送信される。
【００２７】
上式より、１０ビットのＴＦＣＩ（ａ９〜ａ０）がオール０であれば３２ビットのＴＦＣＩ  Ｃｏｄｅ  Ｗｏｒｄ（ｂ０〜ｂ３２）もオール０になる。従って、データ有無判定部８１は復調されたＴＦＣＩ  Ｃｏｄｅ  Ｗｏｒｄ（ｂ０〜ｂ３２）がオール０であるか否かでＤＰＤＣＨデータの有無を識別できる。
図８において、データ有無判定部８１がＤＰＤＣＨデータ有りを検出すれば、第１実施例と同様に第１アウターループ制御部５３ｃによる第１アウターループ制御が行われる。一方、データ有無判定部８１がＤＰＤＣＨデータ無しを検出すれば、第１実施例と同様に第２アウターループ制御部５２ｆによるＳＷ−ＥＲを用いた第２アウターループ制御が行われる。
【００２８】
（Ｃ）変形例
以上では、同期ワードＳＷのエラーレートを用いて第２アウターループ制御を行ったが、パイロットのエラーレートを用いて第２アウターループ制御を行うこができる。
以上ではパイロットの目標エラーレートに基づいて第２アウターループ制御を行ったが、パイロットの目標エラーレートの上限、下限幅を設け、パイロットの測定エラーレートが該範囲内に入るように制御することもできる。
【００２９】
・付記
（付記１）  受信側において受信データのエラーレートと目標エラーレートを比較して目標ＳＩＲを制御し、測定ＳＩＲが該目標ＳＩＲに一致するように送信側に送信電力制御を行わせる送信電力制御方法において、
データが送信されている区間であるか判定し、
データが送信されている区間では、復号後の受信データのエラーレートと目標エラーレートを比較して目標ＳＩＲを制御し、
データが送信されていない区間では、復調された受信パイロットのエラーレートを測定し、
該パイロットの測定エラーレートとパイロットの目標エラーレートを比較して目標ＳＩＲを制御する、
ことを特徴とする送信電力制御方法。
（付記２）  パイロットに含まれる同期ワードのエラーレートを前記パイロットのエラーレートとする、
ことを特徴とする付記１記載の送信電力制御方法。
（付記３）  復調されたＴＦＣＩ情報の復号結果に基づいて、データが送信されている区間であるかを判定する、
ことを特徴とする付記１記載の送信電力制御方法。
（付記４）  モデムで復調されたＴＦＣＩ情報に基づいて、データが送信されている区間であるかを判定する、
ことを特徴とする付記１記載の送信電力制御方法。
（付記５）  前記パイロットの測定エラーレートと前記パイロットの目標エラーレートを比較して目標ＳＩＲを下げたとき、送信側と受信側間の同期が外れることがないように該パイロットの目標エラーレートを設定する、
ことを特徴とする付記１記載の送信電力制御方法。
（付記６）  前記パイロットの目標エラーレートの上限、下限幅を設け、パイロットの測定エラーレートが該範囲内に入るように目標ＳＩＲを制御する、
ことを特徴とする付記５記載の送信電力制御方法。
（付記７）  データが送信されている区間の前記制御からデータが送信されていない区間の前記制御に切り換える際の前の制御における目標ＳＩＲを保存する、
ことを特徴とする付記１記載の送信電力制御方法。
（付記８）  データが送信されていない区間の前記制御に切り換えた後に、パイロットの測定エラーレートが目標エラーレートに到達した時の目標ＳＩＲを保存する、
ことを特徴とする付記７記載の送信電力制御方法。
（付記９）  データが送信されていない区間の前記制御に切り換えた後に、パイロットの測定エラーレートが目標エラーレートに到達した時の目標ＳＩＲと前記保存した目標ＳＩＲとの差分を保存する、
ことを特徴とする付記７記載の送信電力制御方法。
（付記１０）  データが送信されていない区間の前記制御からデータが送信されている区間の前記制御に切り換える際、前記保存してあるＳＩＲを目標ＳＩＲとして設定する、
ことを特徴とする付記７記載の送信電力制御方法。
（付記１１）  データが送信されていない区間の前記制御からデータが送信されている区間の前記制御に切り換える際、
前記保存してある２つの目標ＳＩＲの差分あるいは前記保存してある差分の絶対値を前記制御切り換え前の目標ＳＩＲに加算した値を目標ＳＩＲとして設定する、
ことを特徴とする付記８又は付記９記載の送信電力制御方法。
（付記１２）  測定した受信品質を目標品質に近づけるように、送信機を制御する制御方法において、
受信した受信信号のフォーマット情報に基づいて、所定受信区間内にデータ信号が含まれず、パイロット信号が含まれる場合は、該パイロット信号に基づいて前記目標品質を制御し、所定受信区間内にデータ信号が含まれる場合は、該データ信号に基づいて前記目標品質を制御する、
ことを特徴とする制御方法。
（付記１３）  受信側において受信データのエラーレートと目標エラーレートを比較して目標ＳＩＲを制御し、測定ＳＩＲが該目標ＳＩＲに一致するように送信側に送信電力制御を行わせる送信電力制御装置において、
受信信号を復調するモデム部、
データが送信されている区間であるか判定するデータ有無判定部、
受信データを復号する復号部、
データが送信されている区間では、復号後の受信データのエラーレートと目標エラーレートを比較して目標ＳＩＲを制御する第１の目標ＳＩＲ制御部、
データが送信されていない区間では、モデムで復調された受信パイロットのエラーレートを測定し、該パイロットの測定エラーレートとパイロットの目標エラーレートを比較して目標ＳＩＲを制御する第２の目標ＳＩＲ制御部、
を備えたことを特徴とする送信電力制御装置。
（付記１４）  前記第２の目標ＳＩＲ制御部は、前記パイロットに含まれる同期ワードのエラーレートを前記パイロットのエラーレートとする、
ことを特徴とする付記１３記載の送信電力制御装置。
（付記１５）  前記データ有無判定部は、復調されたＴＦＣＩ情報の復号結果に基づいて、データが送信されている区間であるかを判定する、
ことを特徴とする付記１３記載の送信電力制御装置。
（付記１６）  前記データ有無判定部は、前記モデムで復調されたＴＦＣＩ情報に基づいて、データが送信されている区間であるかを判定する、
ことを特徴とする付記１３記載の送信電力制御装置。
（付記１７）  前記第２の目標ＳＩＲ制御部は、前記パイロットの測定エラーレートと前記パイロットの目標エラーレートを比較して目標ＳＩＲを下げたとき、送信側と受信側間の同期が外れることがないように該目標エラーレートを設定する、
ことを特徴とする付記１３記載の送信電力制御装置。
（付記１８）  前記第２の目標ＳＩＲ制御部は、前記パイロットの目標エラーレートの上限、下限幅を設け、パイロットの測定エラーレートが該範囲内に入るように目標ＳＩＲを制御する、
ことを特徴とする付記１３記載の送信電力制御装置。
（付記１９）  データが送信されている区間の前記制御からデータが送信されていない区間の前記制御に切り換える前の目標ＳＩＲを保存する保存手段、
を備えることを特徴とする付記１３記載の送信電力制御装置。
（付記２０）  データが送信されていない区間の前記制御に切り換えた後に、パイロットの測定エラーレートが目標エラーレートに到達した時の目標ＳＩＲを保存する保存手段、
を備えることを特徴とする付記１９記載の送信電力制御装置。
（付記２１）  データが送信されていない区間の前記制御に切り換えた後に、パイロットの測定エラーレートが目標エラーレートに到達した時の目標ＳＩＲと前記保存した目標ＳＩＲとの差分を保存する、
ことを特徴とする付記１９記載の送信電力制御装置。
（付記２２）  前記第２の目標ＳＩＲ制御部は、データが送信されていない区間の前記制御からデータが送信されている区間の前記制御に切り換える際、前記保存してあるＳＩＲを目標ＳＩＲとして設定する、
ことを特徴とする付記１９記載の送信電力制御装置。
（付記２３）  前記第２の目標ＳＩＲ制御部は、データが送信されていない区間の前記制御からデータが送信されている区間の前記制御に切り換える際、前記保存してある２つの目標ＳＩＲの差分あるいは前記保存してある差分の絶対値を前記制御切り換え前の目標ＳＩＲに加算した値を目標ＳＩＲとして設定する、
ことを特徴とする付記２０又は付記２１記載の送信電力制御装置。
（付記２４）  測定した受信品質を目標品質に近づけるように、送信機を制御する受信装置において、
受信した受信信号のフォーマット情報を取得する抽出部、
該フォーマット情報に基づいて、所定受信区間内にデータ信号が含まれず、パイロット信号が含まれる場合は、該パイロット信号に基づいて前記目標品質を制御し、所定受信区間内にデータ信号が含まれる場合は、該データ信号に基づいて前記目標品質を制御する制御部、
を備えたことを特徴とする受信装置。
【００３０】
【発明の効果】
以上説明したように、本発明を実施することにより、ＤＰＣＣＨでのみ通信を行っているときには、従来より大幅に電力を下げることができ、通信を維持するのに必要十分な電力で通信を行うことができる。その為、周辺で通信を行っている移動端末及び対向基地局への雑音による悪影響を軽減し、また送信電力制御対象の無線機器のトラフィックを軽減することができる。よって、送信電力制御を効率的に行う上で実用上大きな効果がある。
【図面の簡単な説明】
【図１】送信電力制御装置の構成図ある。
【図２】下り個別物理チャネルＤＰＣＨのフレーム構成図である。
【図３】同期ワードＳＷの説明図である。
【図４】第１実施例のアウターループ制御処理フローである。
【図５】第１実施例のアウターループ制御の説明図である。
【図６】変形例の処理フローである。
【図７】変形例のアウターループ制御の説明図である。
【図８】データ有無判定をモデム復調後のＴＦＣＩ情報を使用して行う第２実施例の構成図である。
【図９】ＴＦＣＩの符号化処理説明図である。
【図１０】インナーループ送信電力制御を説明するためのシステム構成図である。
【図１１】従来のインナーループ送信電力制御の処理フローである。
【図１２】上りリンクのＤＰＣＨのフレーム構成図である。
【図１３】アウターループ制御部分を含む受信側の送信電力制御装置のブロック図である。
【図１４】従来のアウターループ制御の処理フローである。
【図１５】従来のアウターループ制御された目標ＳＩＲの説明図である。
【符号の説明】
５１  無線部
５２  モデム部
５２ａ    逆拡散／復調部
５２ｂ    ＳＩＲ測定部
５２ｃ    比較部
５２ｄ    ＴＰＣビット生成部
５２ｅ    拡散変調部
５２ｆ    第２アウターループ制御部
５３  コーデック部
５３ａ    データ有無判定部
５３ｂ    復号部
５３ｃ    第１アウターループ制御部
６１  ＢＬＥＲ測定部（たとえばＣＲＣ検出器）
６２  ＢＬＥＲ比較部
６３  目標ＳＩＲ更新部
７１  ＳＷ−ＥＲ測定部
７２  ＳＷ−ＥＲ比較部
７３  目標ＳＩＲ更新部
【図１】
2005005762.tif 000004
【図２】
2005005762.tif 000005
【図３】
2005005762.tif 000006
【図４】
2005005762.tif 000007
【図５】
2005005762.tif 000008
【図６】
2005005762.tif 000009
【図７】
2005005762.tif 000010
【図８】
2005005762.tif 000011
【図９】
2005005762.tif 000012
【図１０】
2005005762.tif 000013
【図１１】
2005005762.tif 000014
【図１２】
2005005762.tif 000015
【図１３】
2005005762.tif 000016
【図１４】
2005005762.tif 000017
【図１５】
2005005762.tif 000018